(57)【要約】【課題】噴射対象液を霧状（粒子状）にして広い区域に短時間で付着させることができ、かつ、操作が容易である噴霧装置を提供すること。【解決手段】噴霧装置１００は、液体窒素収容容器１１０と、注入液収容容器１５０と、注入液噴射装置１６０と、制御装置１７０と、を具備している。制御装置１７０は、動作開始信号を受けた時に注入液噴射装置１６０を動作させてこれにより注入液収容容器１５０の注入液を噴射させて液体窒素収容容器１１０の内部空間に注入させて前記注入液の水によって前記液体窒素を蒸発させて前記注入液の前記噴射対象液を粒子状にして液体窒素収容容器１１０の内部空間の上昇される圧力により前記粒子状の噴射対象液を外部に噴射させる。【選択図】図１
2008200657.tif 000002
【特許請求の範囲】
【請求項１】
液体窒素を収容し液注入口を規定する液注入内周面と気体噴射口を規定する気体噴射内周面とを有する液体窒素収容容器と、
水と所定の噴射対象液とを混合してなる前記注入液を収容している注入液収容容器と、
前記注入液収容容器の前記注入液を噴射して前記液体窒素収容容器の内部空間に前記液注入口を介して注入する注入液噴射装置と、
加熱装置と前記注入液噴射装置とに接続されている制御手段と、
前記制御手段に動作の開始を指示する動作開始信号及び動作の終了を指示する動作終了信号を与えるための操作入力装置と、
を具備し、
前記制御手段は、前記動作開始信号を受けた時に前記注入液噴射装置を動作させて当該注入液噴射装置により前記注入液収容容器の前記注入液を噴射させて前記液体窒素収容容器の内部空間に前記液注入口を介して注入させて前記注入液の水によって前記液体窒素を蒸発させて前記注入液の前記噴射対象液を粒子状にして前記液体窒素収容容器の内部空間
の上昇される圧力により前記粒子状の噴射対象液を前記気体噴射口を介して外部に噴射させることを特徴とする噴霧装置。
【請求項２】
液体窒素を収容し液注入口を規定する液注入内周面と気体噴射口を規定する気体噴射内周面とを有する液体窒素収容容器と、
前記液体窒素収容容器に収容されている前記液体窒素を加熱する加熱装置と、
前記液体窒素収容容器に収容されている前記液体窒素の温度を検出して液体窒素温度検出値を生成する液体窒素温度検出器と、
水と所定の噴射対象液とを混合してなる前記注入液を収容している注入液収容容器と、
前記注入液収容容器の前記注入液を噴射して前記液体窒素収容容器の内部空間に前記液注入口を介して注入する注入液噴射装置と、
加熱装置と前記液体窒素温度検出器と前記注入液噴射装置とに接続されている制御手段と、
前記制御手段に動作の開始を指示する動作開始信号及び動作の終了を指示する動作終了信号を与えるための操作入力装置と、
を具備し、
前記制御手段は、予め温度基準値を記憶し、前記動作開始信号を受けた時に前記加熱装置を動作させて前記液体窒素収容容器の前記液体窒素を前記加熱装置により加熱させて前記液体窒素温度検出器からの前記液体窒素温度検出値が前記温度基準値に達した時に前記注入液噴射装置を動作させて当該注入液噴射装置により前記注入液収容容器の前記注入液を噴射させて前記液体窒素収容容器の内部空間に前記液注入口を介して注入させて前記注入液の水によって前記液体窒素を蒸発させて前記注入液の前記噴射対象液を粒子状にして前記液体窒素収容容器の内部空間の上昇される圧力により前記粒子状の噴射対象液を前記気体噴射口を介して外部に噴射させることを特徴とする噴霧装置。
【請求項３】
液体窒素を収容し液注入口を規定する液注入内周面と気体噴射口を規定する気体噴射内周面とを有する液体窒素収容容器と、
前記液体窒素収容容器に収容されている前記液体窒素を加熱する加熱装置と、
前記液体窒素収容容器に収容されている前記液体窒素の温度を検出して液体窒素温度検出値を生成する液体窒素温度検出器と、
水と所定の噴射対象液とを混合してなる前記注入液を収容している注入液収容容器と、
前記注入液収容容器の前記注入液を噴射して前記液体窒素収容容器の内部空間に前記液注入口を介して注入する注入液噴射装置と、
加熱装置と前記液体窒素温度検出器と前記注入液噴射装置とに接続されている制御手段と、
前記制御手段に動作の開始を指示する動作開始信号及び動作の終了を指示する動作終了信号を与えるための操作入力装置と、
前記制御手段に所定範囲内の温度基準値を与えて記憶させる温度基準値設定装置と、
を具備し、
前記制御手段は、前記動作開始信号を受けた時に前記加熱装置を動作させて前記液体窒素収容容器の前記液体窒素を前記加熱装置により加熱させて前記液体窒素温度検出器からの前記液体窒素温度検出値が前記温度基準値に達した時に前記注入液噴射装置を動作させて当該注入液噴射装置により前記注入液収容容器の前記注入液を噴射させて前記液体窒素収容容器の内部空間に前記液注入口を介して注入させて前記注入液の水によって前記液体窒素を蒸発させて前記注入液の前記噴射対象液を粒子状にして前記液体窒素収容容器の内部空間の上昇される圧力により前記粒子状の噴射対象液を前記気体噴射口を介して外部に噴射させることを特徴とする噴霧装置。
【請求項４】
液体窒素を収容し上部に形成した気体噴射口にノズルを備えた液体窒素収容容器と、上記液体窒素収容容器内へ水と噴射対象液との混合液を圧入するための混合液圧入手段と、前記液体窒素収容容器を加勢するための加熱手段と、を備えていることを特徴とする噴霧装置。
【発明の詳細な説明】
【技術分野】
【０００１】
本発明は、容器の内部の噴射対象液を霧状（粒子状）にして外部に噴射して部屋の壁面等に付着させる噴霧装置に関するものである。
【背景技術】
【０００２】
従来の噴霧装置として、非特許文献１に記載されたものがある。この従来の噴霧装置は、タンクの内部の消毒液又はかび防止剤などの液を霧状（粒子状）にして外部に噴射して部屋の壁面等に付着させるものである。この従来の噴霧装置は、液を霧状（粒子状）にして噴射して部屋の壁面等の狭い区域ごとに順次に付着させるものである。
【非特許文献１】http://www.koeishoji.co.jp
【発明の開示】
【発明が解決しようとする課題】
【０００３】
しかしながら、従来の噴霧装置においては、液を霧状（粒子状）にして噴射して部屋の壁面等の狭い区域ごとに順次に付着させるため、広い区域に液を付着させる場合に、時間が掛かり、かつ、操作が面倒であるという問題がある。
【０００４】
本発明の目的は、噴射対象液を霧状（粒子状）にして広い区域に短時間で付着させることができ、かつ、操作が容易である噴霧装置を提供することにある。
【課題を解決するための手段】
【０００５】
本発明は、液体窒素を収容し液注入口を規定する液注入内周面と気体噴射口を規定する気体噴射内周面とを有する液体窒素収容容器と、水と所定の噴射対象液とを混合してなる前記注入液を収容している注入液収容容器と、前記注入液収容容器の前記注入液を噴射して前記液体窒素収容容器の内部空間に前記液注入口を介して注入する注入液噴射装置と、前記加熱装置と前記注入液噴射装置とに接続されている制御手段と、前記制御手段に動作の開始を指示する動作開始信号及び動作の終了を指示する動作終了信号を与えるための操作入力装置と、を具備し、前記制御手段は、前記動作開始信号を受けた時に前記注入液噴射装置を動作させて当該注入液噴射装置により前記注入液収容容器の前記注入液を噴射させて前記液体窒素収容容器の内部空間に前記液注入口を介して注入させて前記注入液の水によって前記液体窒素を蒸発させて前記注入液の前記噴射対象液を粒子状にして前記液体窒素収容容器の内部空間の上昇される圧力により前記粒子状の噴射対象液を前記気体噴射口を介して外部に噴射させる構成を採る。
【発明の効果】
【０００６】
本発明によれば、水と所定の噴射対象液とを混合してなる注入液を液体窒素収容容器の内部に注入して前記注入液の水によって液体窒素を蒸発させて前記注入液の前記噴射対象液を粒子状にして前記液体窒素収容容器の内部空間の上昇される圧力により前記粒子状の噴射対象液を外部に噴射させるため、噴射対象液を霧状（粒子状）にして大きい空間に噴射することができるから、噴射対象液を霧状（粒子状）にして広い部屋の壁などの区域に短時間で付着させることができ、かつ、操作が容易である。
【発明を実施するための最良の形態】
【０００７】
次に、本発明の実施の形態について、図面を参照して詳細に説明する。
【０００８】
（実施の形態１）
図１は、本発明の実施の形態１に係る噴霧装置の構成を示す図である。図２は、本発明の実施の形態１に係る噴霧装置の液体窒素収容容器を示す概略断面図である。図３は、本発明の実施の形態１に係る噴霧装置の注入液収容容器を示す概略断面図である。
【０００９】
図１に示すように、本発明の実施の形態１に係る噴霧装置１００は、液体窒素収容容器１１０と、容器保持台１２０、加熱装置１３０、液体窒素温度検出器１４０と、注入液収容容器１５０と、注入液噴射装置１６０と、制御装置１７０と、操作入力装置１８０と、を具備している。
【００１０】
図１及び図２に示すように、液体窒素収容容器１１０は、液体窒素１１１を収容する液体窒素収容空間１１２及び蒸発空間１１３を含む内部空間を規定する内周面１１４を有している。液体窒素収容容器１１０は、その上部に注入液を注入する液注入口１１５を規定する液注入内周面１１６を有している。液注入口１１５は、蒸発空間１１３と連通している。また、液体窒素収容容器１１０は、その最上部に気体噴射口１１７を規定する気体噴射内周面１１８を有している。気体噴射口１１７は、蒸発空間１１３と連通している。液体窒素収容容器１１０の最上部には、ノズル１１９が設けられている。このノズル１１９の内部空間は、気体噴射口１１７と連通されている。液体窒素収容容器１１０は、例えば、ステンレス又はアルミニウム等により形成されている。
【００１１】
図１に示すように、加熱装置１３０は、ヒーター１３１と、ヒーター制御装置１３２と、電源装置１３３とを具備している。ヒーター制御装置１３２は、ヒーター１３１と、電源装置１３３と、制御装置１７０とに接続されている。
【００１２】
容器保持台１２０は、建物の部屋の床面等に配置されるものである。図１に示すように、容器保持台１２０は、液体窒素収容容器１１０及びヒーター１３１を収容する容器収容空間を規定する収容内周面１２１を有している。収容内周面１２１の上には、緩衝シート１２２が配置されている。緩衝シート１２２は、耐熱性及び柔軟性を有する部材（例えば、ウレタンフォーム）で形成されている。
【００１３】
緩衝シート１２２の底部の上面には、ヒーター１３１が載置されている。ヒーター１３１及び緩衝シート１２２の上面には、液体窒素収容容器１１０が載置されている。容器保台１２０の上には、保持部材１２３が取り付けられている。保持部材１２３は、容器保持台１２０の上部にねじ等の連結具により連結され固定されている。保持部材１２３は、液体窒素収容容器１１０を容器保持台１２０の方向に押圧することにより液体窒素収容容器１１０及びヒーター１３１を容器保持台１２０に固定するためのものである。容器保持台１２０及び保持部材１２３は、例えば、鋳物又は鉄等で形成されている。
【００１４】
図１に示すように、液体窒素温度検出器１４０は、容器保持台１２０の収容内周面１２１と液体窒素収容容器１１０の下部の外周面との間に液体窒素収容容器１１０の下部の外周面に接触するように配置されている。液体窒素温度検出器１４０は、制御装置１７０に接続されている。液体窒素温度検出器１４０は、液体窒素収容容器１１０に収容されている液体窒素１１１の温度を検出して液体窒素温度検出値を生成して制御装置１７０に与える。
【００１５】
図１及び図３に示すように、注入液収容容器１５０は、注入液１５１を収容する内部空間１５２を規定している内周面１５３を有している。この注入液１５１は、水と所定の噴射対象液とを混合してなるものである。この噴射対象液は、粉塵飛散防止剤、コーティング剤、殺菌剤又は殺虫剤などである。注入液収容容器１５０は、その上部に内部空間１５２と連通するエアー注入口１５４を規定する注入内周面１５５を有している。また、注入液収容容器１５０は、その下部に内部空間１５２と連通する注入液噴出口１５６を規定する注入液噴出内周面１５７を有している。
【００１６】
図１に示すように、注入液噴射装置１６０は、注入液収容容器１５０の注入液１５１を噴射して液体窒素収容容器１１０の内部空間に液注入口１１５を介して注入するものである。注入液噴射装置１６０は、エアーコンプレッサー１６１と、エアー案内管１６２と、第１の開閉弁１６３と、第１の開閉弁制御装置１６４と、注入液案内管１６５と、第２の開閉弁１６６と、第２の開閉弁制御装置１６７と、注入液散布部材１６８とを有している。
【００１７】
エアーコンプレッサー１６１は、圧縮空気を噴射するものである。エアー案内管１６２は、エアーコンプレッサー１６１の内部と注入液収容容器１５０のエアー注入口１５４とを連通するように 配設されている。第１の開閉弁１６３は、エアー案内管１６２に設けられている。第１の開閉弁１６３は、閉じた状態でエアーコンプレッサー１６１の圧縮空気を止めて注入液収容容器１５０の内部空間１５２の方へ通さない。また、第１の開閉弁１６３は、開いた状態でエアーコンプレッサー１６１の圧縮空気を注入液収容容器１５０の内部空間１５２の方へ通す。
【００１８】
注入液案内管１６５は、注入液収容容器１５０の注入液噴出口１５６と注入液散布部材１６８の内部とを連通するように 配設されている。第２の開閉弁１６６は、注入液案内管１６５に設けられている。第２の開閉弁１６６は、閉じた状態で注入液収容容器１５０からの注入液を止めて注入液散布部材１６８の方へ通さない。また、第２の開閉弁１６６は、開いた状態で注入液収容容器１５０からの注入液を注入液散布部材１６８の方へ通す。
【００１９】
注入液散布部材１６８は、その内部が注入液案内管１６５の内部と連津するように 配設されている。注入液散布部材１６８の後部は、液体窒素収容容器１１０の注入液噴出内周面１５７に固定されている。また、注入液散布部材１６８の先部は、液体窒素収容容器１１０の内部空間に配置されている。注入液散布部材１６８は、注入液収容容器１５０からの注入液１５１を液体窒素収容容器１１０の内部空間に散布するものである。
【００２０】
第１の開閉弁１６３は第１の開閉弁制御装置１６４に接続されている。第２の開閉弁１６６は第２の開閉弁制御装置１６７に接続されている。第１の開閉弁制御装置１６４及び第２の開閉弁制御装置１６７は、制御装置１７０に接続されている。
【００２１】
操作入力装置１８０は、制御装置１７０に接続されている。操作入力装置１８０は、操作者によって操作され、制御装置１７０に動作の開始を指示する動作開始信号及び動作の終了を指示する動作終了信号を与えるためのものである。
【００２２】
制御装置１７０は、予め温度基準値を記憶している。制御装置１７０は、操作入力装置１８０から前記動作開始信号を受けた時に加熱装置１３０を動作させて液体窒素収容容器１１０の液体窒素１１１を加熱装置１３０により加熱させる。すなわち、制御装置１７０は、操作入力装置１８０から前記動作開始信号を受けた時に電力供給信号を生成してヒーター制御装置１３２に与える。ヒーター制御装置１３２は、前記電力供給信号を受けると、電源装置１３３の電力をヒーター１３１に供給して液体窒素収容容器１１０の液体窒素１１１をヒーター１３１により加熱させる。
【００２３】
次に、制御装置１７０は、液体窒素温度検出器１４０からの前記液体窒素温度検出値が前記温度基準値に達した時に注入液噴射装置１６０を動作させてこの注入液噴射装置１６０により注入液収容容器１５０の注入液１５１を噴射させて液体窒素収容容器１１０の内部空間に液注入口１１５を介して注入させて注入液１５１の水によって液体窒素１１１を蒸発させて注入液１５１の前記噴射対象液を粒子状にして液体窒素収容容器１１０の内部空間の上昇される圧力により前記粒子状の噴射対象液を気体噴射口１１７を介して外部に噴射させる。
【００２４】
すなわち、制御装置１７０は、液体窒素温度検出器１４０からの前記液体窒素温度検出値が前記温度基準値に達した時に注入液噴射信号を生成して第１の開閉弁制御装置１６４及び第２の開閉弁制御装置１６７に与える。第１の開閉弁制御装置１６４及び第２の開閉弁制御装置１６７は、前記注入液噴射信号を受けた時に第１の開閉弁１６３及び第２の開閉弁１６６を解放する。第１の開閉弁１６３及び第２の開閉弁１６６が解放されると、エアーコンプレッサー１６１の圧縮空気は、アー案内管１６２、第１の開閉弁１６３及びエアー注入口１５４を通って注入液収容容器１５０の内部空間１５２に注入される。さらに、注入液収容容器１５０の内部空間１５２に注入される圧縮空気は、注入液収容容器１５０の内部空間１５２の注入液１５１を押圧するから、この注入液１５１は注入液噴出口１５６、注入液案内管１６５、第２の開閉弁１６６及び注入液散布部材１６８を通って液体窒素収容容器１１０の内部空間に注入される。
【００２５】
注入液１５１が液体窒素収容容器１１０の内部空間に注入されると、注入液１５１の水によって液体窒素１１１が蒸発されて注入液１５１の前記噴射対象液が粒子状（霧状）にされ液体窒素収容容器１１０の内部空間の上昇される圧力により前記粒子状の噴射対象液が気体噴射口１１７及びノズル１１９を介して外部に噴射される。
【００２６】
気体噴射口１１７及びノズル１１９を介して外部に噴射される前記粒子状の噴射対象液の各粒子は、イオン化されて同極性の電荷を有するため、部屋内において使用することにより、相互に反発して拡散されて部屋の壁面、天井昇面及び床面等の面に付着される。
【００２７】
制御装置１７０は、操作入力装置１８０から動作終了信号を受けた時に加熱装置１３０及び注入液噴射装置１６０の動作を終了させる。すなわち、制御装置１７０は、操作入力装置１８０から前記動作終了信号を受けた時にこの動作終了信号をヒーター制御装置１３２、第１の開閉弁制御装置１６４及び第２の開閉弁制御装置１６７に与える。ヒーター制御装置１３２は、前記動作終了信号を受けると、ヒーター１３１への電源装置１３３からの電力の供給を終了する。また、第１の開閉弁制御装置１６４及び第２の開閉弁制御装置１６７は、前記動作終了信号を受けると、第１の開閉弁１６３及び第２の開閉弁１６６を閉塞する。
【００２８】
本発明の実施の形態１によれば、噴射対象液を霧状（粒子状）にして大きい空間に噴射することができるから、噴射対象液を霧状（粒子状）にして広い区域に短時間で付着させることができ、かつ、操作が容易である。また、本発明の実施の形態１によれば、液体窒素温度検出器１４０からの前記液体窒素温度検出値が温度基準値に達した時に注入液噴射装置１６０を動作させてこの注入液噴射装置１６０により注入液収容容器１５０の注入液１５１を噴射させて液体窒素収容容器１１０の内部空間に注入させるため、噴射対象液を良好に霧状（粒子状）とすることができる。
【００２９】
（実施の形態２）
図４は、本発明の実施の形態２に係る噴霧装置の構成を示す図である。本発明の実施の形態２においては、本発明の実施の形態１と同じ構成要素には同じ符号を付してその説明を省略する。
【００３０】
図４に示すように、本発明の実施の形態２に係る噴霧装置２００は、本発明の実施の形態１において、制御装置１７０の代わりに制御装置２０１を具備し、温度基準値設定装置２０２を追加してなる。
【００３１】
温度基準値設定装置２０２は、制御装置２０１に接続されている。温度基準値設定装置２０２は、操作者により操作され、制御装置２０１に所定範囲内の温度基準値を与えて記憶させる。温度基準値設定装置２０２は、制御装置２０１に記憶させる温度基準値を更新することができる。これ以外の本発明の実施の形態２の構成は、本発明の実施の形態１と同じである。
【００３２】
本発明の実施の形態２によれば、噴射対象液を霧状（粒子状）にして大きい空間に噴射することができるから、噴射対象液を霧状（粒子状）にして広い区域に短時間で付着させることができ、かつ、操作が容易である。また、本発明の実施の形態２によれば、液体窒素温度検出器１４０からの前記液体窒素温度検出値が所定範囲内の温度基準値に達した時に注入液噴射装置１６０を動作させてこの注入液噴射装置１６０により注入液収容容器１５０の注入液１５１を噴射させて液体窒素収容容器１１０の内部空間に注入させるため、噴射対象液をより良好に霧状（粒子状）とすることができる。
【００３３】
なお、本発明の実施の形態１は、加熱装置１３０及び液体窒素温度検出器１４０を有せず、かつ、制御装置１７０が温度基準値を記憶しない構成であってもよい。
【００３４】
本発明は、噴射対象液を霧状（粒子状）にして広い区域に短時間で付着させることができ、かつ、操作が容易である効果を有し、噴霧装置に有用である。
【００３５】
以上のごとき説明より理解されるように、液体窒素を収容した液体窒素収容容器１１０を加熱するための加熱手段（1３０）を備え、上記液体窒素収容容器１１０内へ、水と噴射対象液との混合液を圧入するための混合液圧入手段とを備えた構成であるから、液体窒素と水との接触及び前記加熱手段による液体窒素の加熱とが相俟って液体窒素の蒸発が極めて激しく行われることとなり、前記液体窒素収容容器内の圧力が極めて高圧となり、噴射対象液が液体窒素収容容器に備えたノズルから周囲に勢いよく激しく噴霧されるものである。この際、加熱手段によって液体窒素を加勢するので、噴射対象液は粉体とすることも可能である。
【図面の簡単な説明】
【００３６】
【図１】本発明の実施の形態１に係る噴霧装置の構成を示す図である。
【図２】本発明の実施の形態１に係る噴霧装置の液体窒素収容容器を示す概略断面図である。
【図３】本発明の実施の形態１に係る噴霧装置の注入液収容容器を示す概略断面図である。
【図４】本発明の実施の形態２に係る噴霧装置の構成を示す図である。
【符号の説明】
【００３７】
１００、２００  噴霧装置
１１０  液体窒素収容容器
１２０  容器保持台
１３０  加熱装置
１４０  液体窒素温度検出器
１５０  注入液収容容器
１６０  注入液噴射装置
１７０、２０１  制御装置
１８０  操作入力装置
２０２  温度基準値設定装置
【図１】
2008200657.tif 000003
【図２】
2008200657.tif 000004
【図３】
2008200657.tif 000005
【図４】
2008200657.tif 000006